(57)【要約】【課題】      垂直又はそれに近い急勾配法面の緑化を１年以上維持することは難しいが、本発明では２年以上の長期にわたって生育が可能で、作業面積が少なくて済む経済的な緑化工法を提供する。【解決手段】  ヘデラ・ヘリックスのようなつた性植物を薄層の繊維質培地で育成したシート状物を急勾配法面に着地させる緑化工法であり、盛土法面においては、Ｌ字状格子型枠の前面壁の内面に間隔を置いて貼張することにより、容易に行なうことができる。【選択図】    図２
2005232686.tif 000002
【特許請求の範囲】
【請求項１】
薄層の繊維質培土により育成されたシート状つた性植物を、勾配が７５度以上の法面に着地させることを特徴とする法面の緑化工法。
【請求項２】
シート状つた性植物を前面部と底面部を有する格子型枠の内部に取りつけて盛土の法面に着地させることを特徴とする請求項１記載の法面の緑化工法。
【請求項３】
シート状つた性植物を、間隔をおいて法面に着地させる請求項１又は２記載の法面の緑化工法。
【請求項４】
シート状つた性植物の着地面積を、法面の１／５以下とする請求項２記載の法面の緑化工法。
【請求項５】
つた状植物が、ヘデラ・ヘリックス又はヘデラ・カナリエンシスである請求項１〜４記載の法面の緑化工法。
【発明の詳細な説明】
【技術分野】
【０００１】
本発明は、急勾配法面の恒久的な緑化工法に関する。
【背景技術】
【０００２】
自然地山、造成地法面などの保全及び景観保護のために、盛土補強及び植生による保護、緑化が行なわれている。このような盛土工法においては、傾斜した前面部と水平な底面部とからなるほぼＬ字状の格子型枠が地山や造成地法面の前方に載置され、その底面部が補強部材であるジオグリッドと連結されると共に地上に固定される。一般には型枠の前面部内部に植生シートが全面に取りつけられた後、格子型枠と地山や造成地法面との間に盛土材が搬入された後締め固められ、部分的な盛土が構築される。このような操作を下から上に所定回数繰り返すことによって、多段に構築された法面の保護構造が構築される。
【０００３】
法面緑化に用いられる上記植生シートとしては、主として種子シートが用いられており、その種類も多種多様である。このような植生シートを使用する代わりに種子を法面に吹きつける工法も知られている。一般に法面が緩勾配である場合には、植物が活着し易く、これら植生シートを使用する方法や種子を吹きつける方法によって法面の緑化及びその維持はそれ程困難なことではない。しかるに法面が急勾配になった場合、とくに垂直法面又はそれに近い勾配になった場合には植生が難しくなり、１年を越えるような緑化の維持を行なうことが困難となってくる。例えば芝は比較的活着し易く、急勾配法面においても１年間生育させることはそれ程難しくない。しかし２年目に入ると枯れることが多く、とくに南斜面の乾燥しやすい法面においては、その生育は難しくなる。
【発明の開示】
【発明が解決しようとする課題】
【０００４】
そこで本発明の目的は、急勾配の法面において、２年以上の長期にわたって生育が可能な緑化工法を提供することにある。本発明の別の目的は、作業面積が少なくてすみ、したがって経済性に優れた緑化工法を提供することにある。
【課題を解決するための手段】
【０００５】
本発明の法面の緑化工法は、薄層の繊維質培土により育成されたシート状つた性植物を、勾配が７５度以上の法面に着地させることを特徴とする。好ましくは、シート状つた性植物を前面部と底面部を有する格子型枠の内部に取りつけて盛土の法面に着地させる。この場合、シート状つた性植物を、間隔をおいて法面に着地させることが好ましく、経済性の点から、とくにシート状つた性植物の着地面積を、法面の１／５以下とするのが好ましい。また、つた状植物としては、ヘデラ・ヘリックス又はヘデラ・カナリエンシスから選ぶのが好ましい。
【発明の効果】
【０００６】
本発明によれば、活着性、生育性に優れた薄層の繊維質培土により育成されたつた性植物、とくにヘデラ・ヘリックス又はヘデラ・カナリエンシスのシートを使用することにより、垂直法面において貼張面積が小さい場合においても、比較的短期間で法面全面に根付き、法面の緑化及び保護が達成される。また１年以上経過したときにおいても生育障害は認められず、長期に渡る保護構造を得ることが可能である。
【発明を実施するための最良の形態】
【０００７】
本発明においては、植生シートとして、薄層の繊維質培土により育成され、根部がシート状に仕上げられたシート状つた性植物が使用される。このようなシート状つた性植物は、通気性、非透水性に優れ、植物の根が刺さらない合成紙（例えば米デュポン社タイベック（登録商標））に繊維質培土を薄く敷き詰め、つた性植物を所定期間育成することによって得ることができる。すなわち、つた性植物の育成中に、その根は繊維質培土に絡まる一方で、非透水性の合成紙には根が刺さらないため、育成後、使用時において、合成紙を容易に取り剥がすことができ、取扱性に優れたシート状つた性植物が得られる。
【０００８】
上記目的に使用される繊維質培土としては、杉、ヒノキなどの針葉樹の樹皮を長さ５〜１５ｃｍ程度に切り裂き加工したもの、やし繊維を裁断加工したもの、やし繊維をネット状に編んだもの、麻、木綿などの天然繊維や合成繊維（例えば生分解性ポリエステル繊維）、これらのマット状物、天然繊維や合成繊維の編織物や透水性不織布、これらの任意の積層体、これらにバーミキュライトやパーライトなどの軽質土壌改良材を混合したものなどが使用できる。繊維質培土の厚みとしては、取扱性、生育性、コストなどを考慮すると、２〜５ｃｍ厚み程度とするのが好ましい。
【０００９】
つた性植物としては、活着性、生育性、コストなどを考慮すると、ヘデラ・ヘリックス又はヘデラ・カナリエンシスを使用するのが好ましい。このようなつた性植物を２〜６ヶ月程度、上記繊維質培土で生育させ、その根を繊維質培土に絡ませたものが好適に使用できる。施工性を考慮すると、１辺が３０〜６０ｃｍ程度の正方形又は長方形状に裁断したものを使用するのが好ましい。
【００１０】
本発明においては、このような薄層の繊維質培土により育成されたシート状つた性植物を、勾配が７５度以上、とくに８０度以上の法面に着地させるものである。図１は盛土により形成された垂直法面に、上記シート状つた性植物を着地させた実施例である。垂直の前壁部２と水平な底壁部３とからなるＬ字状格子型枠１を工事現場の地山５の法面前方に設置し、固定用アンカー（図示しない）のような固定手段により地面６に固定した後、補強部材７を型枠後方の地面上に敷設する。補強部材７としては、プラスチック網状体のジオグリッドや繊維材料よりなるジオテキスタイルなどが用いられ、固定用アンカー（図示しない）により型枠底壁部３にその一端が取付けられ、また適当な個所で地面に固定される。これにより補強部材は型枠を盛土材にしっかり保持させるとともに、盛土材を安定化させる働きをする。
【００１１】
型枠の前壁部３の内面側に間隔をおいてシート状つた性植物４を取付ける。図２にその概略図を示す。シート状つた性植物４は、型枠前壁部のほぼ全面に貼張してもよいが、活着性、生育性、経済性などを考慮すると、図示するように定間隔で点在させて取りつけることが好ましい。法面の勾配、法面の方角、法面高さ、土質などによっても異なるが、シート状つた性植物４は、法面面積の１／３以下、好ましくは１／４以下、一層好ましくは１／５以下となるように貼張することが好ましい。この場合、法面の一時的な保護のために、シート状つた性植物のの未貼張部分の型枠前面部に、農業用フイルムや不織布などを貼張しておくことができる。また他の植生シートを貼張しておいてもよい。勿論、土圧が大きく、強固な法面を早期に形成させたい場合には、シート状つた性植物の貼張面積を前記した割合より増しても差し支えない。シート状つた性植物４をＬ字状格子型枠１に取りつけたのち、格子型枠１と地山５の間に盛土材８を充填したのち締め固めることにより、垂直法面が形成される。場合により、これを下から上に順次繰返すことによって、多段に構築された垂直法面が形成される。
【図面の簡単な説明】
【００１２】
【図１】シート状つた性植物を貼張した格子型枠を用いて垂直法面を構築した図面である。
【図２】シート状つた性植物を格子型枠に貼張したことを示す概略図である。
【符号の説明】
【００１３】
１    格子型枠
４    シート状つた性植物
５    地山
８    盛土
【図１】
2005232686.tif 000003
【図２】
2005232686.tif 000004